(57)【要約】【課題】目や耳の不自由な身体障害者がスロープ、階段、エスカレーター及び通路の情報を得ながら安心して安全に通行できるための補助を行う装置の提供。【解決手段】スロープ、階段、及びエスカレーターの上部（３）、下部（５）、途段（４）及び通路の床に伝達装置（２）を設け、スイッチ（１３）やセンサー（１）で伝達装置（２）を作動させ振動や音で被検知者に自分の位置を知らせる。【選択図】  図１
2004240926.tif 000002
【特許請求の範囲】
【請求項１】
スロープ、階段、エスカレーター及び通路において板状の物（９）にのることでスイッチ（１３）が作動し、伝達装置（２）で自分の位置を知らせることを特徴とした歩行補助装置。
【請求項２】
スロープや階段及び通路においてセンサー（１）で人を認識し伝達装置（２）で自分の位置を知らせることを特徴とした歩行補助装置。
【請求項３】
伝達装置（２）が板状の物（９）を振動させて行うことを特徴とする請求項１または２の歩行補助装置。
【請求項４】
伝達装置（２）がスピーカー（７）であることを特徴とする請求項１または２の歩行補助装置。
【請求項５】
スイッチ及びセンサー（１４）と振動板及びスピーカー（１５）を階段の手すり（８）に取付けたことを特徴とした請求項１、２、３または４の歩行補助装置。
【発明の詳細な説明】
【０００１】
【発明の属する技術分野】
本発明は、目や耳の不自由な身体障害者のスロープ、階段、エスカレーター及び通路の歩行を補助する装置に関するものである。
【０００２】
【従来の技術】
従来の目や耳の不自由な身体障害者のスロープ、階段、エスカレーター及び通路での歩行において、手すりに点字でスロープや階段の始まり、終わりを確認する手段を設けたものはあるが、長さや途中でどの位置あるのかなどの確認できるものではかった。通常、長いスロープ、階段及びエスカレーターにおいては目でどこまで登ったのか降りたのかを確認できるものであるが、目の不自由な障害者はなにも確認できず、スロープ、階段及びエスカレーターがどれくらいの長さなのか、またスロープ、階段、エスカレーター及び通路において途中でどこの位置にいるのかがわからず不安を抱き精神的苦痛は多大なるものがある。またスロープ、階段、エスカレーター及び通路がどこに通ずるのかも確認できず不便であった。
【０００３】
【発明が解決しようとする課題】
本発明は、目や耳の不自由な身体障害者が、スロープ、階段、エスカレーター及び通路の情報を得ながら安心して通行できるための補助を行う装置の提供を課題とする。
【０００４】
【課題を解決するための手段】
本発明は、上記の課題を解決するため次のようにした。
スロープ、階段及びエスカレーターの上部（３）、下部（５）、途中部（４）及び通路の床に伝達装置（２）を設け、スイッチ（１３）やセンサー（１）で伝達装置（２）を作動させ振動や音で被検知者に自分の位置情報を知らせる。
【０００５】
【発明の実施の形態】
本発明の実施の形態を図で追って説明する。
図１は、階段の上部（３）、下部（５）、途中部（４）及び通路に伝達装置（２）が設けてある。伝達装置（２）の天面には板（９）が設けてあり、図４で示すように板状の物（９）をクッション材（１０）で支え、携帯電話で良く使用されている構造の振動モーター（１１）が取り付けられ、板状の物（９）の下のクッション材（１０）の上部にスイッチ（１３）を設け板状の物（９）が押されるとスイッチ（１３）が作動するように仕組む。人が板状の物（９）にのると板状の物（９）が振動し人に情報を伝える。また、近くの壁面にセンサー（１）を設け、センサー（１）の近くを人が通りかかるとセンサー（１）が感知し伝達装置（２）に信号が伝えられ板状の物（９）が振動し上のった人に情報を伝えることができる。
このときに振動を信号のようにして位置の情報を伝達すると良い。例えば、短い時間での振動で無振動の間隔が短い時間で繰り返す信号は上部（３）で短いスロープ、階段及びエスカレーター。無振動の間隔が長い時間で繰り返す信号は長いスロープ、階段及びエスカレーター。長い時間での振動で無振動の間隔が短い時間で繰り返す信号は下部（５）で短いスロープ、階段及びエスカレーター。無振動の間隔が長い時間で繰り返す信号は下部で長いスロープ、階段及びエスカレーター。途中部（４）においては、短い時間での振動と長い時間での振動の繰り返しの信号にする。通路においては横に階段があるといった情報を信号にして伝達する。聾唖者の点字のように振動をモールス信号のような決まりごとにして、目や耳の不自由な障害者に認識しいもらうことにより情報の伝達になる。
【０００６】
図２は、伝達装置（２）をスピーカー（７）で実施した例で、スピーカーを壁面（６）に埋め込む。その場所を通りかかった耳の聞こえる目の不自由な障害者に言語で情報を通達するのでわかりやすい。情報の内容も前記の板状の物（９）の振動の伝達より多く伝えることが出来る。例えば、この階段はどこに通じているのか、この通路の右横に階段ありなどを伝えることができる。この通路や階段はどこでどこに通ずるかなど具体的に伝達できる。ただし、耳の聞こえない人には伝達できないが、前記の板状の物（９）の振動による伝達装置と併用すればよい。
【０００７】
図３は、スイッチ及びセンサー部（１４）と振動板及びスピーカー部（１５）を階段の手すり（８）に埋め込んで実施した例である。この方法は、振動板やスピーカー部（１５）が振動板で実施した場合は、人の手に直接信号が伝達するのでわかりやすいし、スピーカーで実施した場合でも人の耳元に近いので聴きやすい。また、壁や床に埋め込む方法に比べると設置が手すり（８）の交換、または後付だけなので設置費用が安くできる。
【０００８】
図５は、スイッチ及びセンサー（１４）と振動板及びスピーカー（１５）を１つの箱（１２）に納めユニット化した実施した例で、取り付けが楽になる。手すり（８）にも応用できる。
【０００９】
その他、階段の下りる一歩手前や昇りきる一歩手前に付けると効果的である。障害者に階段の踏み外しなどの事故が起こりにくい。
【発明の効果】
したがって、本発明は次のような効果がある。
（イ）  目や耳の不自由な障害者がスロープや階段及び通路が、長いのか短いのかの情報を簡単に得られる。
（ロ）  目や耳の不自由な障害者がスロープや階段及び通路でどの位置にいるのかの情報を簡単に得られる。
（ハ）  目や耳の不自由な障害者がスロープや階段及び通路はどこに通じているのかの情報を簡単に得られる。
【図面の簡単な説明】
【図  １】は、本発明の第一の実施例を示す斜視図である。
【図  ２】は、本発明の第二の実施例を示す斜視図である。
【図  ３】は、本発明の第三の実施例を示す斜視図である。
【図  ４】は、本発明の伝達装置の断面図である。
【図  ５】は、スイッチ及びセンサーと振動板及びスピーカーをユニットにした実施例を示す平面図である。
【符号の説明】
１は、センサー。
２は、伝達装置。
３は、上部。
４は、途中部。
５は、下部。
６は、壁。
７は、スピーカー。
８は、手すり。
９は、板状の物。
１０は、クッション材。
１１は、振動モーター。
１２は、箱。
１３は、スイッチ。
１４は、スイッチ及びセンサー。
１５は、振動板及びスピーカー。
【図１】
2004240926.tif 000003
【図２】
2004240926.tif 000004
【図３】
2004240926.tif 000005
【図４】
2004240926.tif 000006
【図５】
2004240926.tif 000007